(57)【要約】【課題】トラップケースを前後方向にコンパクトに設けることができる水洗便器を提案する。【解決手段】本発明の一実施形態の水洗便器は、便器ボウル１と、便器ボウル１の底部の排水口１０に接続された変形可能な排水トラップ２と、排水トラップ２を収納するトラップケース３と、排水トラップ２を封水姿勢と排水姿勢とに切り替える切替部４とを備える。切替部４は、排水トラップ２を所定の経路に沿って伸縮させる伸縮機構である。所定の経路は、排水トラップ２が封水姿勢から排水姿勢に近づくほど、排水トラップ２の下流端が前側に移動するように、排水トラップ２を伸縮させる経路である。【選択図】図１
2016130397.tif 000002
【特許請求の範囲】
【請求項１】
後方に向けて開口する排水口を底部に有する便器ボウルと、
前記排水口に接続された変形可能な排水トラップと、
前記排水トラップを収納するトラップケースと、
前記排水トラップを封水姿勢と排水姿勢とに切り替える切替部とを備え、
前記切替部は、
前記排水トラップを所定の経路に沿って伸縮させる伸縮機構であり、
前記所定の経路は、
前記排水トラップが前記封水姿勢から前記排水姿勢に近づくほど、前記排水トラップの下流端が前側に移動するように、前記排水トラップを伸縮させる経路であることを特徴とする水洗便器。
【請求項２】
前記伸縮機構は、
前記トラップケースの側壁に設けられたレールを有し、
前記排水トラップを前記レールに沿って伸縮させることを特徴とする請求項１に記載の水洗便器。
【請求項３】
前記伸縮機構は、
前記排水トラップの下流端に固定された走行部を更に有し
前記走行部を前記レールに沿って走行させることで前記排水トラップを伸縮させることを特徴とする請求項２に記載の水洗便器。
【請求項４】
前記伸縮機構は、
前記走行部に接続されたワイヤーを更に有し、
前記ワイヤーを介して前記走行部を前記レールに沿って走行させることで前記排水トラップを伸縮させることを特徴とする請求項３に記載の水洗便器。
【請求項５】
前記排水トラップは、蛇腹状の弾性体であり、
前記伸縮機構は、
前記封水姿勢にある前記排水トラップを前記所定の経路に沿って弾性的に短縮させることで、前記排水トラップを前記封水姿勢から前記排水姿勢へ切り替え、
前記排水姿勢にある前記排水トラップを前記所定の経路に沿って弾性的な復元力により伸長させることで、前記排水トラップを前記排水姿勢から前記封水姿勢へ切り替えることを特徴とする請求項１乃至４のいずれか１項に記載の水洗便器。
【請求項６】
前記伸縮機構は、
前記排水トラップを、前記封水姿勢と前記排水姿勢とは異なる中途姿勢に切り替え可能であり、
前記中途姿勢にあるときの前記排水トラップの下流端は、前記封水姿勢にあるときの前記排水トラップの下流端よりも下方に位置し、且つ前記排水姿勢にあるときの前記排水トラップの下流端よりも上方に位置することを特徴とする請求項１乃至５のいずれか１項に記載の水洗便器。
【発明の詳細な説明】
【技術分野】
【０００１】
本発明は、水洗便器に関し、詳しくは、排水トラップの姿勢を切り替え可能な水洗便器に関する。
【背景技術】
【０００２】
特許文献１には、トラップの姿勢を切り替え可能な水洗便器が提案されている。
【０００３】
この水洗便器は、トラップの先端を上下に回動させることによって、トラップの先端の開口が略上向きとなる給水姿勢と略横向きとなる排水姿勢とに、トラップの姿勢を切り替える。トラップは、トラップケース内に回動自在に収納されている。
【先行技術文献】
【特許文献】
【０００４】
【特許文献１】特開２００５−１５５１４６号公報
【発明の概要】
【発明が解決しようとする課題】
【０００５】
特許文献１に記載の水洗便器では、トラップが回動して給水姿勢から排水姿勢に近づくほど、トラップの先端が後方に移動するため、トラップを回動させるためのスペースが前後方向に長く必要である。そのため、この水洗便器では、トラップケースを前後方向にコンパクトに設けることが困難である。
【０００６】
そこで、本発明は、トラップケースを前後方向にコンパクトに設けることができる水洗便器を提案することを課題とする。
【課題を解決するための手段】
【０００７】
上記課題を解決するための本発明の水洗便器は、後方に向けて開口する排水口を底部に有する便器ボウルと、前記排水口に接続された変形可能な排水トラップと、前記排水トラップを収納するトラップケースと、前記排水トラップを封水姿勢と排水姿勢とに切り替える切替部とを備え、前記切替部は、前記排水トラップを所定の経路に沿って伸縮させる伸縮機構であり、前記所定の経路は、前記排水トラップが前記封水姿勢から前記排水姿勢に近づくほど、前記排水トラップの下流端が前側に移動するように、前記排水トラップを伸縮させる経路であることを特徴とする。
【発明の効果】
【０００８】
本発明の水洗便器は、トラップケースを前後方向にコンパクトに設けることができる。
【図面の簡単な説明】
【０００９】
【図１】本発明の一実施形態の水洗便器を概略的に示す側面断面図であり、図１Ａは排水トラップが封水姿勢にあるときの状態を示し、図１Ｂは排水トラップが中途姿勢にあるときの状態を示し、図１Ｃは排水トラップが排水姿勢にあるときの状態を示す。
【図２】図２Ａは同上の水洗便器の排水トラップを示す斜視図であり、図２Ｂは同上の水洗便器のトラップケースと伸縮機構を示す一部破断斜視図である。
【図３】同上の水洗便器のトラップケースの排水筒に接続される排水アジャスターの一例を示す斜視図である。
【発明を実施するための形態】
【００１０】
図１Ａ、図１Ｂ及び図１Ｃに示す本発明の一実施形態の水洗便器は、便器ボウル１の底部の排水口１０に接続された排水トラップ２の姿勢を切り替え可能な水洗便器である。以下では、平面視において排水トラップ２に対して便器ボウル１が位置する側を前方とし、その反対側を後方とし、この前後方向に直交する方向を左右方向として、各構成について説明する。図１Ａにおいては、矢印Ｘ１で示す方向が前方であり、矢印Ｚ１で示す方向が上方である。
【００１１】
水洗便器は、便器ボウル１と、排水トラップ２と、排水トラップ２が収納されるトラップケース３と、排水トラップ２の姿勢を切り替える切替部４と、便器ボウル１に水を供給する給水部とを備える。更に、水洗便器は、便器ボウル１の上端と一体のリム１１と、リム１１と一体で便器ボウル１の周囲を覆うスカート１２と、リム１１上に載置される便座１３と、便座１３を覆う便蓋１４とを備える。更に、水洗便器は、局部洗浄ノズル、局部乾燥用の温風装置、脱臭装置、便座１３の加温装置、及びこれらを制御する制御装置等を適宜備える。
【００１２】
便器ボウル１は、後方に突出する筒部１５を底部に有し、筒部１５の先端部（後端部）に、後方に向けて開口する排水口１０を有する。
【００１３】
排水トラップ２は、蛇腹状の弾性体の筒体であり、変形可能である。排水トラップ２は、上流端部が筒部１５の排水口１０に接続されている。排水トラップ２は、その下流端部が切替部４によって移動されることで、姿勢が切り替えられる。
【００１４】
給水部は、その上流端部が上水道に接続され、下流端部の開口が、便器ボウル１の上部に配されている。給水部は、便器ボウル１の内面に沿う方向に水を供給して、便器ボウル１内に旋回する流れを形成する。給水部は、排水トラップ２の姿勢の切り替えに対応して、便器ボウル１に水を供給する。
【００１５】
トラップケース３は、下ケース３０と、その上に取り付けられる上ケース３１とで構成される。上ケース３１は、下方に向けて開口した箱状である。下ケース３０は、上方に向けて開口した箱状である。下ケース３０は、前壁３２と、後壁３３と、底壁３４と、左右一対の側壁３５とを有する。前壁３２、後壁３３、底壁３４、及び左右一対の側壁３５はそれぞれ、略板状である。上ケース３１は、下ケース３０の上部の開口を閉塞するように、下ケース３０上に取り付けられる。
【００１６】
下ケース３０の前壁３２には、前後方向に貫通する挿通口３６が設けられている。挿通口３６には、排水トラップ２の上流端部が隙間なく挿通されて固定される。底壁３４には、下方に突出する排水筒３７が設けられている。
【００１７】
トラップケース３は、床面に載置される支持台３８を更に有する。支持台３８は、底壁３４の左右端部からそれぞれ下方に突出している。支持台３８は、平面視にて、排水筒３７の左右両側にそれぞれ位置する。トラップケース３は、左右の支持台３８が床面に載置されることで、下ケース３０の底壁３４が床面から上方に離れた箇所に配置される。
【００１８】
排水筒３７は、その下方に設置される排水アジャスター５（図３参照）を介して、床面に形成された排水孔に連通される。排水アジャスター５は、排水筒３７が上方から差し込まれる差し込み口５０と、床面の排水孔と連通させる排水口５１とを有する。排水アジャスター５は、排水孔と排水孔から前後方向に離れた箇所に配置された排水筒３７とを接続するものである。なお、排水アジャスターは、排水孔とその真上に配置された排水筒３７とを接続する他の形状のものであってもよい。
【００１９】
切替部４は、排水トラップ２を所定の経路に沿って伸縮させる伸縮機構である。切替部４は、所定の経路に沿って排水トラップ２を伸縮させることで、排水トラップ２の姿勢を図１Ａに示す封水姿勢と、図１Ｃに示す排水姿勢と、図１Ｂに示す中途姿勢とに切り替える。所定の経路は、排水トラップ２が封水姿勢から排水姿勢に近づくほど、排水トラップ２の下流端が前側に移動するように、排水トラップ２を伸縮させる経路である。排水トラップ２の下流端は、排水トラップ２が封水姿勢にあるときに最も後方に位置し、排水トラップ２が排水姿勢にあるときに最も前方に位置する。本実施形態では、切替部４は、排水トラップ２が封水姿勢にあり、排水トラップ２の下流端が最も後方に位置するときに、排水トラップ２が自然長よりも若干短い長さとなるように、排水トラップ２を伸縮させる。そして、切替部４は、排水トラップ２が排水姿勢にあり、排水トラップ２の下流端が最も前方に位置するときに、排水トラップ２が最大限短縮させた状態となるように、排水トラップ２を伸縮させる。
【００２０】
本実施形態では、所定の経路は、前後方向に延びる前経路と、前経路の後端から後斜め上方に延びる後経路とを有する。
【００２１】
封水姿勢は、排水トラップ２の下流端が、所定の経路の後端（つまり後経路の後端）に位置するときの姿勢である。このとき、排水トラップ２の下流端の開口は、筒部１５の上端よりも上方に位置し、後斜め上方を向く。封水姿勢にあるときの排水トラップ２内には、封水に十分な高さの喫水線が形成可能である。
【００２２】
排水姿勢は、排水トラップ２の下流端が、所定の経路の前寄りの部分（つまり前経路の前寄りの部分）に位置するときの姿勢である。このとき、排水トラップ２の下流端の開口は、後方を向く。本実施形態では、排水姿勢にあるときの排水トラップ２の軸方向は、筒部１５の軸方向と同一直線上となる。
【００２３】
中途姿勢は、排水トラップ２の下流端の開口が、所定の経路の後端（つまり後経路の後端）よりもやや前方の部分に位置するときの姿勢である。このとき、排水トラップ２の下流端の開口は、後斜め上方を向く。またこのとき、排水トラップ２の下流端の開口は、封水姿勢にあるときの排水トラップ２の下流端の開口よりも低く、且つ排水姿勢にあるときの排水トラップ２の下流端の開口よりも高い箇所に位置する。中途姿勢にあるときの排水トラップ２内には、封水に十分な高さの喫水線よりもやや下方で、且つ筒部１５の上端よりもやや上方の高さに、喫水線が形成可能である。
【００２４】
図２Ａ及び図２Ｂには、本実施形態の切替部４の斜視図が示されている。切替部４は、排水トラップ２の下流端部の外周に取り付けられたリング状の支持部４０と、支持部４０の左右の端部からそれぞれ左右方向外側に突出した円柱状の軸部４１と、各軸部４１の先端部にそれぞれ固定された走行部４２を有する。
【００２５】
更に、切替部４は、走行部４２の走行方向をガイドするレール４３と、走行部４２の走行を止めるストッパー４４と、走行部４２に固定されたワイヤー４５と、ワイヤー４５を巻き取るモーター４６とを有する。
【００２６】
走行部４２は、本実施形態では、側面視楕円状の板体であり、走行部４２の短軸がレール４３に対して直交する姿勢で、レール４３に沿って走行する。
【００２７】
レール４３は、左右一対の側壁３５の左右方向内側の面にそれぞれ設けられている。各レール４３は、上レール部４３０と、この上レール部４３０と平行な下レール部４３１とを有する。上レール部４３０と下レール部４３１はそれぞれ、前後方向に延びる前部位と、前部位の後端から後斜め上方に延びる後部位とを有する。上レール部４３０及び下レール部４３１の前部位によって、所定の経路の前経路が形成され、上レール部４３０及び下レール部４３１の後部位によって、所定の経路の後経路が形成される。
【００２８】
上レール部４３０と下レール部４３１はそれぞれ、長手方向に垂直な断面形状が略Ｌ字状である。詳しくは、上レール部４３０は、側壁３５の左右方向内側の面から垂直に突出した突出片４３２と、突出片４３２の先端部（つまり左右方向内側の端部）から下レール部４３１に向けて垂直に突出した抑え片４３３とを有する。同様に、下レール部４３１は、側壁３５の左右方向内側の面から垂直に突出した突出片４３４と、突出片４３４の先端部（つまり左右方向内側の端部）から上レール部４３０に向けて垂直に突出した抑え片４３５とを有する。上レール部４３０の突出片４３２と下レール部４３１の突出片４３４とは、楕円形状の走行部４２の短軸の長さと同じ分だけ、もしくはそれよりも僅かに長い分だけ離れている。上レール部４３０の抑え片４３３と下レール部４３１の抑え片４３５は、走行部４２が上レール部４３０と下レール部４３１との間から左右方向内側に抜け出すことを抑える。
【００２９】
レール４３は、上レール部４３０の突出片４３２と一体に設けられるリブ４３６を更に有する。本実施形態では、各レール４３は、リブ４３６を２つ有し、２つのリブ４３６は、前後方向に離れて位置する。リブ４３６は、側壁３５の左右方向内側の面から垂直に突出しており、上下に長く、下端部が突出片４３２と一体である。リブ４３６は、突出片４３２のうち前後方向の中央部と一体である。
【００３０】
ストッパー４４は、左右一対の側壁３５の左右方向内側の面のうち、レール４３の後端に対応する箇所から、左右方向内側に向けて突出している。詳しくは、ストッパー４４は、上レール部４３０の後端と、下レール部４３１の後端との間に位置する。ストッパー４４は、走行部４２がレール４３の後端から飛び出すことを抑えるためのものである。ストッパー４４は、例えば円柱状である。
【００３１】
ワイヤー４５は、一端部（つまり後端部）が走行部４２に固定され、他端部（つまり前端部）がモーター４６の回転軸４６０に固定されている。ワイヤー４５は、その一部が、前壁３２に設けられた挿通孔を介してトラップケース３の外側に引き出されて、回転軸４６０に固定されている。挿通孔は、ワイヤー４５との間からトラップケース３内の臭気が漏れ出さないように、シールされている。
【００３２】
モーター４６は、前壁３２の前方に位置しており、トラップケース３の外側でワイヤー４５を回転軸４６０の周囲に巻き付ける。モーター４６は、回転軸４６０を正回転させてワイヤー４５を回転軸４６０周りに巻き付けていく正回転状態と、回転軸４６０の回転を止める回転停止状態と、回転軸４６０を逆回転自在な状態とする自由回転状態とに切り替え自在である。モーター４６の回転状態の切り替えは、使用者によるスイッチ操作や、制御部による自動操作によって行われる。モーター４６の回転状態を切り替えることによって、走行部４２をレール４３に沿って走行させることができ、これにより、排水トラップ２の姿勢を切り替えることができる。
【００３３】
上述した本実施形態の水洗便器は、例えば以下のように排水及び封水動作を行う。
【００３４】
本実施形態の水洗便器は、排水を行う前の待機状態では、図１Ａに示す状態となる。つまり、待機状態の水洗便器では、排水トラップ２が封水姿勢にあり、排水トラップ２内には、封水に十分な所定の高さの喫水線が形成されている。このとき、モーター４６は自由回転状態にあり、走行部４２は、排水トラップ２の弾性的な復元力によってストッパー４４に押し当たった状態で、レール４３の後端に位置する。
【００３５】
用便後、水洗便器やトイレルームの壁に設けた排水スイッチが押されると、給水部が、便器ボウル１に洗浄用の水の供給を開始し、切替部４のモーター４６が正回転状態となり、回転軸４６０周りにワイヤー４５が巻き付けられていく。走行部４２は、ワイヤー４５によりレール４３に沿って前側に引っ張られて、レール４３の前後方向に延びる前部分まで走行させられる。これにより、走行部４２が取り付けられた排水トラップ２の下流端が、レール４３に沿った所定の経路で、前斜め下方に移動した後、前方へ移動し、排水トラップ２が図１Ｃに示す排水姿勢となる。排水姿勢において排水トラップ２は、最大限短縮した状態となり、排水トラップ２の下流端の開口が後方に向けて開口する。給水部からの水の供給は、例えば、排水トラップ２が排水姿勢となる前に、一旦停止される。
【００３６】
便器ボウル１内及び排水トラップ２内に溜まっている水や排泄物等は、排水姿勢にある排水トラップ２の下流端の開口から、トラップケース３の排水筒３７、排水アジャスター、及び床面の排水孔を通じて、外部の下水管へ排出される。
【００３７】
排水トラップ２が排水姿勢となってから所定時間が経過し、水や排泄物等が排水トラップ２から排出されたタイミングで、給水部が便器ボウル１への水の供給を開始し、切替部４のモーター４６が自由回転状態となる。モーター４６が自由回転状態となると、排水トラップ２の弾性的な復元力によって、走行部４２がレール４３に沿って後方に走行させられて、ストッパー４４に押し当たる。これにより、排水トラップ２の下流端が、レール４３に沿った所定の経路で、後方に移動した後、後斜め上方へ移動し、排水トラップ２が図１Ａに示す封水姿勢となる。
【００３８】
排水トラップ２内及び便器ボウル１内に封水に十分な所定の高さの喫水線が形成されると、給水部が水の供給を停止する。ここで、便器ボウル１内に形成される喫水線と、排水トラップ２内に形成される喫水線とは同じ高さとなる。
【００３９】
また、本実施形態の水洗便器では、図１Ａに示す待機状態の水洗便器の便器ボウル１の水面周りの部位の掃除を行う場合、例えば以下のように動作する。
【００４０】
水洗便器やトイレルームの壁に設けた掃除用のスイッチが押されると、切替部４のモーター４６が正回転状態となり、回転軸４６０周りにワイヤー４５が巻き付けられていく。排水トラップ２の下流端が、封水姿勢にあるときの排水トラップ２の下流端の位置よりも、やや下方に位置したタイミングで、モーター４６が回転停止状態となり、排水トラップ２が中途姿勢となる。
【００４１】
排水トラップ２が中途姿勢となった状態では、便器ボウル１内の喫水線の高さが、待機状態の水洗便器における便器ボウル１内の喫水線の高さよりも低くなる。これにより、待機状態の水洗便器の便器ボウル１の水面周りの部位に形成される水垢の掃除を、使用者は汚れを確認しながら行うことができる。
【００４２】
掃除後、排水スイッチが押されると、上述した排水及び封水動作と同様の手順で、水洗便器の排水及び封水が行われる。
【００４３】
以上説明した本実施形態の水洗便器は、下記の構成を備えることを特徴とする。
【００４４】
すなわち、本実施形態の水洗便器は、便器ボウル１と、変形可能な排水トラップ２と、排水トラップ２を収納するトラップケース３と、排水トラップ２を封水姿勢と排水姿勢とに切り替える切替部４とを備える。便器ボウル１は、後方に向けて開口する排水口１０を底部に有する。排水トラップ２は、排水口１０に接続されている。切替部４は、排水トラップ２を所定の経路に沿って伸縮させる伸縮機構である。所定の経路は、排水トラップ２が封水姿勢から排水姿勢に近づくほど、排水トラップ２の下流端が前側に移動するように、排水トラップ２を伸縮させる経路である。
【００４５】
上記の構成を備えることで、本実施形態の水洗便器では、排水トラップ２が封水姿勢から排水姿勢に近づくほど排水トラップ２の下流端が前側に位置するため、排水トラップ２の後方に位置するトラップケース３の後壁を、下側ほど前方に位置させることができる。これにより、本実施形態の水洗便器では、トラップケース３の特に下部を前後方向にコンパクトに形成することができる。
【００４６】
更に、本実施形態の水洗便器は、上記の構成に加えて、下記の構成を付加的に備える。
【００４７】
すなわち、本実施形態の水洗便器では、伸縮機構は、トラップケース３の側壁３５に設けられたレール４３を有し、排水トラップ２をレール４３に沿って伸縮させる。
【００４８】
上記の付加的な構成のように、本実施形態の水洗便器では、排水トラップ２を伸縮させるレール４３をトラップケース３の前壁や後壁ではなく側壁３５に設けるため、トラップケース３が前後方向に長くなることを抑制できる。また、本実施形態の水洗便器では、排水トラップ２を伸縮させる構造としてレール４３を採用することで、簡単な構成で、排水トラップ２が伸縮する所定の経路を形成することができる。
【００４９】
更に、本実施形態の水洗便器は、上記の構成に加えて、下記の構成を付加的に備える。
【００５０】
すなわち、本実施形態の水洗便器では、伸縮機構は、排水トラップ２の下流端に固定された走行部４２を更に有し、走行部４２をレール４３に沿って走行させることで排水トラップ２を伸縮させる。
【００５１】
上記の付加的な構成のように、本実施形態の水洗便器では、レール４３とこれに沿って走行する走行部４２とを有する伸縮機構としたことで、簡単な構成で、排水トラップ２を、その下流端が所定の経路に沿うように伸縮させることができる。
【００５２】
更に、本実施形態の水洗便器は、上記の構成に加えて、下記の構成を付加的に備える。
【００５３】
すなわち、本実施形態の水洗便器では、伸縮機構は、走行部４２に接続されたワイヤー４５を更に有し、ワイヤー４５を介して走行部４２をレール４３に沿って走行させることで排水トラップ２を伸縮させる。
【００５４】
上記の付加的な構成のように、本実施形態の水洗便器では、レール４３と走行部４２とワイヤー４５を有する伸縮機構としたことで、簡単な構成で、排水トラップ２を、その下流端が所定の経路に沿うように伸縮させることができる。
【００５５】
更に、本実施形態の水洗便器は、上記の構成に加えて、下記の構成を付加的に備える。
【００５６】
すなわち、本実施形態の水洗便器では、排水トラップ２は、蛇腹状の弾性体である。伸縮機構は、封水姿勢にある排水トラップ２を所定の経路に沿って弾性的に短縮させることで、排水トラップ２を前記封水姿勢から前記排水姿勢へ切り替える。そして、伸縮機構は、排水姿勢にある排水トラップ２を所定の経路に沿って弾性的な復元力により伸長させることで、排水トラップ２を排水姿勢から封水姿勢へ切り替える。
【００５７】
上記の付加的な構成を備えることで、本実施形態の水洗便器では、排水トラップ２が有する弾性的な復元力を利用して、排水トラップ２の姿勢の切り替えを行うことができ、排水トラップ２を伸縮させる伸縮機構の簡素化を図ることができる。
【００５８】
更に、本実施形態の水洗便器は、上記の構成に加えて、下記の構成を付加的に備える。
【００５９】
すなわち、本実施形態の水洗便器では、伸縮機構は、排水トラップ２を、封水姿勢と排水姿勢とは異なる中途姿勢に切り替え可能である。中途姿勢にあるときの排水トラップ２の下流端は、封水姿勢にあるときの排水トラップ２の下流端よりも下方に位置し、且つ排水姿勢にあるときの排水トラップ２の下流端よりも上方に位置する。
【００６０】
上記の付加的な構成を備えることで、本実施形態の水洗便器では、排水トラップ２を中途姿勢にすることで、便器ボウル１の水面の水位を下げて、水面周りの水垢等の掃除を簡単に行うことができる。
【００６１】
また、本実施形態の水洗便器では、排水姿勢にあるときの排水トラップ２を最大限短縮させた状態とすることで、排水トラップを軸周りに回動させるタイプの水洗便器と比べて、排水姿勢にあるときの排水トラップ２の流路長を短くすることができる。これにより、本実施形態の水洗便器では、汚水や汚物等の排水をより確実に且つ短時間で行うことができる。
【００６２】
また、本実施形態の水洗便器では、排水姿勢にあるときの排水トラップ２を最大限短縮させた状態としてこのときの排水トラップ２の流路長を短くすることで、排水姿勢にあるときの排水トラップ２の姿勢を水平としても、排水性能を確保できる。そのため、本実施形態の水洗便器では、排水姿勢にあるときの排水トラップ２の姿勢を後下がりとする場合に比べて、トラップケース３の排水筒３７を高い位置に設けることができる。これにより、本実施形態の水洗便器では、トラップケース３の下方に、排水アジャスターを配置するためのスペースを確保しやすいものとなっている。
【００６３】
また、本実施形態の水洗便器では、排水トラップ２は、封水姿勢にあるときの排水トラップ２が位置する領域と略同じ領域内で、伸縮を行う。そのため、トラップケース３は、排水トラップ２の伸縮を妨げない範囲で、極力コンパクトに設けることができる。例えば、トラップケース３は、封水姿勢にあるときの排水トラップ２よりも一回り大きい寸法で、且つこのときの排水トラップ２の形状と略同じ形状で形成することも可能である。これにより、水洗便器内のトラップケース３の設置領域をコンパクト化でき、このコンパクト化により形成されるスペースを別の装置の設置スペースとして利用することで、水洗便器をコンパクトに形成することができる。
【００６４】
また、本実施形態の水洗便器では、レール４３を、側面視にて、封水姿勢にあるときの排水トラップ２内に収まるように設けている。そのため、本実施形態の水洗便器では、レール４３の形成のために、トラップケース３が前後長さに長くなることが抑制できる。
【００６５】
なお、上述した本実施形態の水洗便器では、レール４３に沿って走行部４２を走行させることで、排水トラップ２を伸縮させるものであったが、従来周知の他の手段で、排水トラップ２を所定の経路に沿って伸縮させるようにしてもよい。
【００６６】
また、上述した本実施形態の水洗便器では、ワイヤー４５で引くことで走行部４２をレール４３に沿って走行させるものであったが、ワイヤー４５以外の他の手段で走行部４２をレール４３に沿って走行させるようにしてもよい。例えば、走行部４２をギア状とし、レール４３を走行部４２と噛み合う溝を有するものとし、走行部４２をモーターで回転させることで、走行部４２をレール４３に沿って走行させるようにしてもよい。
【００６７】
また、上述した本実施形態の水洗便器では、排水トラップ２が弾性的な復元力によって伸長することで、排水トラップ２が排水姿勢から封水姿勢に切り替わるものであったが、排水トラップ２は、モーターの駆動力により伸長させてもよい。例えば、上ケース３１の後部上方に設置した他のモーターによって、走行部４２に固定された他のワイヤーを引くことで、走行部４２をレール４３に沿って後方に走行させるようにしてもよい。この場合、ストッパー４４は省略してもよく、また、排水トラップ２が封水姿勢にあるときに、排水トラップ２が自然長と同じ長さ、またはそれよりも長くなるように、排水トラップ２を伸縮させるようにしてもよい。
【００６８】
また、上述した本実施形態の水洗便器では、切替部４は、排水トラップ２が排水姿勢にあるときに、排水トラップ２を最大限短縮させるものであったが、排水トラップ２を最大限短縮させた状態の長さよりも若干長い長さまで短縮させるものであってもよい。つまり、切替部４は、排水姿勢にあるときの排水トラップ２の軸方向が筒部１５の軸方向と同一直線上に位置する状態まで、排水トラップ２を短縮させるものであればよく、このときの長さが、排水トラップ２を最大限短縮させた状態の長さよりも若干長くてもよい。
【００６９】
また、上述した本実施形態の水洗便器では、排水トラップ２は封水姿勢から中途姿勢に切り替え可能なものであったが、排水トラップ２は封水姿勢と排水姿勢とを切り替えるものであり、中途姿勢で停止しないものであってもよい。
【００７０】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００７１】
１      便器ボウル
２      排水トラップ
３      トラップケース
４      切替部
１０    排水口
３５    側壁
４２    走行部
４３    レール
４５    ワイヤー
【図１】
2016130397.tif 000003
【図２】
2016130397.tif 000004
【図３】
2016130397.tif 000005